(57)【特許請求の範囲】
【請求項１】
装置本体、及び該装置本体の本体フレームに対して装脱自在に配設され、画像を形成するための要素を備えた装填部ユニットを有する画像形成装置において、
（ａ）前記装填部ユニットに形成され、本体フレームに対して係止させられる係止部と、
（ｂ）前記装填部ユニットに形成され、前記係止部と所定の距離を置いて形成される取っ手部と、
（ｃ）前記本体フレームに形成され、前記係止部を受ける受部、及び係止部と係止させられる突起部を備えた保持部とを有するとともに、
（ｄ）前記係止部と保持部とは、前記装填部ユニットを本体フレームに装着する際に、前記係止部が前記受部によって保持された状態で、前記装填部ユニットを所定の角度回動させることによって前記突起部により係合させられ、
（ｅ）前記装填部ユニットのフレームにおける係止部の周囲には、テーパ部を備え、装填部ユニットを本体フレームに装着する際に係止部を誘導する誘導部が形成されることを特徴とする画像形成装置。
【請求項２】
前記装填部ユニットの重心を挟んで、前記取っ手部及び係止部が配設される請求項１に記載の画像形成装置。
【請求項３】
前記取っ手部を把持して前記装填部ユニットを持ち上げたときに、前記係止部と保持部とが係合しない角度になるように前記重心の位置が設定される請求項２に記載の画像形成装置。
【請求項４】
前記装填部ユニットが本体フレームに装着された状態で、装填部ユニットを本体フレームに固定する固定部材を有する請求項１に記載の画像形成装置。
【請求項５】
前記装填部ユニットを支持する支持部が本体フレームに形成される請求項１に記載の画像形成装置。
【請求項６】
（ａ）前記装填部ユニットを本体フレームに固定する固定部材を有するとともに、
（ｂ）該固定部材が前記支持部に取り付けられる請求項５に記載の画像形成装置。
【請求項７】
前記装填部ユニットは、中間転写ベルト又は記録媒体を搬送する転写ユニットである請求項１に記載の画像形成装置。
【請求項８】
前記係止部は、前記転写ユニットの駆動ローラを支持する請求項７に記載の画像形成装置。
【請求項９】
装置本体、及び該装置本体の本体フレームに対して装脱自在に配設され、画像を形成するための要素を備えた装填部ユニットを有する画像形成装置において、
（ａ）前記装填部ユニットに形成され、本体フレームに対して係止させられる係止部と、
（ｂ）前記装填部ユニットに形成され、前記係止部と所定の距離を置いて形成される取っ手部と、
（ｃ）前記本体フレームに形成され、前記係止部を受ける受部、及び係止部と係止させられる突起部を備えた保持部とを有するとともに、
（ｄ）前記係止部と保持部とは、前記装填部ユニットを本体フレームに装着する際に、前記係止部が前記受部によって保持された状態で、前記装填部ユニットを所定の角度回動させることによって前記突起部により係合させられ、
（ｅ）前記取っ手部を把持して前記装填部ユニットを回動させるのに伴い、前記係止部と保持部との係合が解除されると、前記装填部ユニットと本体フレームとは、前記係止部と保持部とにおける所定の当接点で当接させられ、該当接点が回転支点にされることを特徴とする画像形成装置。
【発明の詳細な説明】
【技術分野】
【０００１】
本発明は、画像形成装置に関するものである。
【背景技術】
【０００２】
従来、プリンタ、複写機、ファクシミリ、複合機等の電子写真方式の画像形成装置、例えば、カラーのプリンタにおいては、感光体ドラムの表面を、帯電ローラによって帯電させ、ＬＥＤヘッドによって露光して静電潜像を形成し、該静電潜像に現像ローラ上で薄層化されたトナーが静電的に付着させられてトナー像が形成され、該トナー像を転写ローラによって用紙に転写した後、定着器において定着させるようになっている。また、転写後に前記感光体ドラム上に残留したトナーは、クリーニング装置によって除去される。
【０００３】
そして、前記感光体ドラム、帯電ローラ、現像ローラ、クリーニング装置等をユニット化して画像形成ユニット（ＩＤユニット、現像装置等）を形成し、該画像形成ユニットをブラック、イエロー、マゼンタ及びシアンの各色ごとに備えた前記プリンタにおいては、各画像形成ユニット、該各画像形成ユニットの感光体ドラム等と対向させて転写ユニット等の装填部ユニットが配設される。
【０００４】
そして、前記転写ユニットは、駆動ローラ、従動ローラ、駆動ローラと従動ローラとの間に走行自在に張設された転写ベルト、該転写ベルトを介して各感光体ドラムと対向させられた転写ローラ等を備える。
【発明の開示】
【発明が解決しようとする課題】
【０００５】
しかしながら、前記従来のプリンタにおいては、保守・点検、交換等の際に、前記転写ユニットを装脱するようになっていて、その場合、操作部材を使用する必要があり、作業が煩わしい。
【０００６】
本発明は、前記従来のプリンタの問題点を解決して、装填部ユニットを装脱するための作業を簡素化することができる画像形成装置を提供することを目的とする。
【課題を解決するための手段】
【０００７】
そのために、本発明の画像形成装置においては、装置本体、及び該装置本体の本体フレームに対して装脱自在に配設され、画像を形成するための要素を備えた装填部ユニットを有するようになっている。
【０００８】
そして、前記装填部ユニットに形成され、本体フレームに対して係止させられる係止部と、前記装填部ユニットに形成され、前記係止部と所定の距離を置いて形成される取っ手部と、前記本体フレームに形成され、前記係止部を受ける受部、及び係止部と係止させられる突起部を備えた保持部とを有する。
【０００９】
また、前記係止部と保持部とは、前記装填部ユニットを本体フレームに装着する際に、前記係止部が前記受部によって保持された状態で、前記装填部ユニットを所定の角度回動させることによって前記突起部により係合させられる。
そして、前記装填部ユニットのフレームにおける係止部の周囲には、テーパ部を備え、装填部ユニットを本体フレームに装着する際に係止部を誘導する誘導部が形成される。
【発明の効果】
【００１０】
本発明によれば、画像形成装置においては、装置本体、及び該装置本体の本体フレームに対して装脱自在に配設され、画像を形成するための要素を備えた装填部ユニットを有するようになっている。
【００１１】
そして、前記装填部ユニットに形成され、本体フレームに対して係止させられる係止部と、前記装填部ユニットに形成され、前記係止部と所定の距離を置いて形成される取っ手部と、前記本体フレームに形成され、前記係止部を受ける受部、及び係止部と係止させられる突起部を備えた保持部とを有する。
【００１２】
また、前記係止部と保持部とは、前記装填部ユニットを本体フレームに装着する際に、前記係止部が前記受部によって保持された状態で、前記装填部ユニットを所定の角度回動させることによって前記突起部により係合させられる。
そして、前記装填部ユニットのフレームにおける係止部の周囲には、テーパ部を備え、装填部ユニットを本体フレームに装着する際に係止部を誘導する誘導部が形成される。
【００１３】
この場合、前記係止部と保持部とは、前記装填部ユニットを本体フレームに装着する際に、前記係止部が前記受部によって保持された状態で、前記装填部ユニットを所定の角度回動させることによって前記突起部により係合させられるので、装填部ユニットの回動に伴って、装填部ユニットを本体フレームに対して装脱することができる。したがって、装填部ユニットを装脱するための作業を簡素化することができる。
【発明を実施するための最良の形態】
【００１４】
以下、本発明の実施の形態について図面を参照しながら詳細に説明する。この場合、画像形成装置としてのカラーのプリンタについて説明する。
【００１５】
図２は本発明の第１の実施の形態におけるプリンタの概略図である。
【００１６】
図に示されるように、１１はプリンタであり、該プリンタ１１は、複数の画像形成部としての画像形成ユニット１２Ｂｋ、１２Ｙ、１２Ｍ、１２Ｃを有する。該画像形成ユニット１２Ｂｋ、１２Ｙ、１２Ｍ、１２Ｃは、記録媒体としての用紙の搬送方向における上流側から下流側に順に配設され、ブラック、イエロー、マゼンタ及びシアンの画像形成を行い、各色の現像剤像としてのトナー像を形成する。
【００１７】
前記各画像形成ユニット１２Ｂｋ、１２Ｙ、１２Ｍ、１２Ｃは、それぞれ、像担持体としての感光体ドラム１３Ｂｋ、１３Ｙ、１３Ｍ、１３Ｃ、該感光体ドラム１３Ｂｋ、１３Ｙ、１３Ｍ、１３Ｃと接触させて配設され、感光体ドラム１３Ｂｋ、１３Ｙ、１３Ｍ、１３Ｃの表面を一様に、かつ、均一に帯電させる図示されない帯電部材としての帯電ローラ、感光体ドラム１３Ｂｋ、１３Ｙ、１３Ｍ、１３Ｃと接触させて配設され、現像剤としてのトナーを保持するとともに、該トナーを回転に伴って感光体ドラム１３Ｂｋ、１３Ｙ、１３Ｍ、１３Ｃに付着させる現像剤担持体としての図示されない現像ローラ、該現像ローラと接触させて配設され、現像ローラにトナーを供給する図示されない現像剤供給ローラとしてのスポンジローラ、先端を前記現像ローラと当接させて配設され、現像ローラ上に供給されたトナーを均一に薄層化する図示されない現像ブレード、トナー像の転写後に感光体ドラム１３Ｂｋ、１３Ｙ、１３Ｍ、１３Ｃ上に残留したトナーを除去する図示されないクリーニング装置としてのクリーニングブレード等を、画像を形成するための要素として備える。なお、前記現像ローラ、スポンジローラ及び現像ブレードによって現像器が構成される。
【００１８】
また、前記感光体ドラム１３Ｂｋ、１３Ｙ、１３Ｍ、１３Ｃの表面を露光して静電潜像を形成するために露光装置としての各ＬＥＤヘッド１５Ｂｋ、１５Ｙ、１５Ｍ、１５Ｃが、各画像形成ユニット１２Ｂｋ、１２Ｙ、１２Ｍ、１２Ｃと対向させて配設される。そして、感光体ドラム１３Ｂｋ、１３Ｙ、１３Ｍ、１３Ｃによって形成された各色のトナー像を、前記用紙に転写し、カラーのトナー像を形成するために、転写ユニット２１が、各画像形成ユニット１２Ｂｋ、１２Ｙ、１２Ｍ、１２Ｃと対向させて配設される。
【００１９】
前記転写ユニット２１は、第１のローラとしての駆動ローラ２２、第２のローラとしてのアイドルローラ２３、前記駆動ローラ２２とアイドルローラ２３との間に走行自在に張設されたベルト２４、及び該ベルト２４を介して各感光体ドラム１３Ｂｋ、１３Ｙ、１３Ｍ、１３Ｃと対向させて、かつ、画像を形成するための要素として配設された転写ローラ１６Ｂｋ、１６Ｙ、１６Ｍ、１６Ｃを備え、ベルト２４の走行に伴って、用紙を搬送する。なお、転写ユニットに代えて、トナー像を担持して用紙に転写するユニット、すなわち、中間転写ベルトを使用することができる。
【００２０】
前記感光体ドラム１３Ｂｋ、１３Ｙ、１３Ｍ、１３Ｃの表面は、帯電ローラによって一様に、かつ、均一に帯電させられ、ＬＥＤヘッド１５Ｂｋ、１５Ｙ、１５Ｍ、１５Ｃによって画像データに従って露光され、感光体ドラム１３Ｂｋ、１３Ｙ、１３Ｍ、１３Ｃの表面に静電潜像が形成される。続いて、該静電潜像に、現像ローラによってトナーが付着させられて現像が行われ、トナー像が形成される。
【００２１】
続いて、該トナー像は、転写ローラ１６Ｂｋ、１６Ｙ、１６Ｍ、１６Ｃによって用紙に転写され、このとき、転写されずに感光体ドラム１３Ｂｋ、１３Ｙ、１３Ｍ、１３Ｃ上に残留したトナーは、クリーニングブレードによって掻き取られ、除去される。
【００２２】
一方、用紙は、媒体供給部としての給紙ユニット６１によって供給され、前記ベルト２４によって感光体ドラム１３Ｂｋ、１３Ｙ、１３Ｍ、１３Ｃと転写ローラ１６Ｂｋ、１６Ｙ、１６Ｍ、１６Ｃとの間を搬送されるのに伴って、各色のトナー像が用紙に順次転写され、カラーのトナー像が形成される。続いて、用紙は、定着装置としての定着器６５に送られ、該定着器６５によってトナー像が定着させられてカラー画像になる。そして、該カラー画像が形成された用紙は、プリンタ外に排出される。前記定着器６５は画像を形成するための要素として加熱ローラ、加圧ローラ等を備える。
【００２３】
図１は本発明の第１の実施の形態における転写ユニットの第１の斜視図、図３は本発明の第１の実施の形態における転写ユニットの要部を示す斜視図、図４は本発明の第１の実施の形態における転写ユニットの第２の斜視図、図５は本発明の第１の実施の形態における係止部を示す拡大図である。なお、係止部２７、２８は、互いに反転させた形状を有するので、係止部２７について説明し、係止部２８の説明は省略する。
【００２４】
前記転写ユニット２１は、駆動ローラ２２、アイドルローラ２３、ベルト２４並びに前記駆動ローラ２２及びアイドルローラ２３を支持するフレーム２６、該フレーム２６によって支持され、前記ベルト２４内に配設された前記転写ローラ１６Ｂｋ、１６Ｙ、１６Ｍ、１６Ｃ（図２）を備え、プリンタの本体、すなわち、装置本体の本体フレームに対して装脱自在に配設される。なお、転写ユニット２１等によって装填部ユニットが構成される。
【００２５】
前記フレーム２６には、本体フレームと係止する係止部２７、２８（図１においては、説明の便宜上、係止部２７だけが示される。）が一体的に形成され、駆動ギヤ２９がノックピン３１によって駆動ローラ２２に取り付けられ、前記駆動ローラ２２は止輪３２を介して前記係止部２７、２８によって支持され、前記フレーム２６に回転自在に取り付けられる。
【００２６】
そのために、係止部２７は、前記駆動ローラ２２を支持するための穴２７ａを有する環状体から成り、円周方向における所定の範囲に、径方向外方に向けて突出させて形成され、ほぼ扇形の形状を有する突出部としての鍔部２７ｂ、及び円周方向における残りの範囲に形成された包囲部２７ｃから成る。また、係止部２８も同様に、鍔部及び包囲部を備える。そして、前記フレーム２６における係止部２７、２８の周囲には、転写ユニット２１を前記本体フレームに装着する際に係止部２７、２８を誘導する誘導部２６ｘ（図１及び３においては、説明の便宜上、係止部２７側の誘導部２６ｘだけが示される。）が形成され、該誘導部２６ｘは、垂直方向における中央部ほど厚く、中央部から上下方向に離れるほど薄くされ、転写ユニット２１の幅方向の外方に向けて山状に突出させて形成される。また、前記誘導部２６ｘは、垂直方向における中央部より上方にテーパ部２６ｇが、中央部より下方にテーパ部２６ｈが形成される。図３に示されるように、前記テーパ部２６ｇ、２６ｈは、係止部２７、２８に近接する部分で転写ユニット２１の幅方向の外方になるように、係止部２７、２８から離れるほど転写ユニット２１の幅方向の内方になるように傾斜させられる。また、前記テーパ部２６ｇ、２６ｈは、定着器６５側に向けて嘴状に突出する突出部２６ｇａ、２６ｈａを備える。
【００２７】
４０は、前記フレーム２６に形成された支持軸としてのポスト２６ａ、２６ｂを中心にして前記フレーム２６に対して揺動自在に配設された取っ手部であり、フレーム２６に形成されたリブ２６ｃによって取っ手部４０の回動が制限される。該取っ手部４０は、前記転写ユニット２１の重心の位置に対して前記係止部２７、２８と反対側に、係止部２７、２８と所定距離を置いて形成される。なお、前記転写ユニット２１の重心は、ベルト２４の走行方向における取っ手部４０と係止部２７、２８との間に位置する。
【００２８】
そして、前記フレーム２６の側面に被支持部２６ｄ、２６ｅが両側に突出させて形成され、被支持部２６ｄの下面には、本体フレームに対して転写ユニット２１を位置決めするための位置決めポスト２６ｆが下方に向けて突出させて形成される。
【００２９】
次に、前記本体フレームについて説明する。
【００３０】
図６は本発明の第１の実施の形態における本体フレームを示す斜視図、図７は本発明の第１の実施の形態における本体フレームの保持部を示す拡大図である。なお、保持部４１、４２は互いに反転させた形状を有するので、保持部４１について説明し、保持部４２の説明は省略する。
【００３１】
図において、３９は装置本体に取り付けられた箱状の本体フレーム、４１、４２は本体フレーム３９の上縁の所定の箇所に形成され、係止部２７、２８を保持する保持部であり、該保持部４１、４２は、図７に示されるように（図においては、保持部４１だけが示され、保持部４２については示されない。）前記包囲部２７ｃを受けるほぼ「コ」字状の形状を有する受部４１ａ、受部４１ａと隣接させて形成された溝部４１ｂ、及び該溝部４１ｂと隣接させて形成された突起部４１ｃを備える。
【００３２】
そして、前記保持部４１、４２と前記係止部２７、２８とが係合させられることによって、転写ユニット２１が用紙の搬送方向において本体フレーム３９に対して位置決めされる。
【００３３】
４３は本体フレーム３９から立ち上げて形成されたブラケットＢｒに対して揺動自在に配設され、取っ手部４０を固定する固定レバーであり、該固定レバー４３は付勢手段としてのスプリング４４によって矢印Ａ方向に付勢される。前記取っ手部４０はフレーム２６に対して回動自在に配設され、取っ手部４０を用紙の搬送方向に回動させると、取っ手部４０と固定レバー４３との係合が解除され、スプリング４４による付勢が解除される。また、取っ手部４０を用紙の搬送方向と反対側に回動させると、取っ手部４０と固定レバー４３と係合させられる。なお、前記取っ手部４０の回動範囲は、取っ手部４０と固定レバー４３との係脱が可能となるだけの角度に設定される。
【００３４】
そして、前記本体フレーム３９に、転写ユニット２１を支持する支持部４５、４６が内方に向けて突出させて形成され、支持部４５には、用紙の搬送方向と平行に位置決め用の長穴４５ａが形成され、該長穴４５ａに前記位置決めポスト２６ｆが嵌合させられる。したがって、転写ユニット２１を用紙の搬送方向に対して直角の方向、すなわち、ベルト２４の幅方向において本体フレーム３９に対して位置決めすることができる。
【００３５】
次に、本体フレーム３９に対して転写ユニット２１を装脱する際の動作について説明する。
【００３６】
図８は本発明の第１の実施の形態における本体フレームに対して転写ユニットを装着する動作を説明する図、図９は本発明の第１の実施の形態における本体フレームに転写ユニットを装着した状態を示す図、図１０は本発明の第１の実施の形態における本体フレームから転写ユニットを取り外す動作を説明する第１の図、図１１は本発明の第１の実施の形態における本体フレームから転写ユニットを取り外す動作を説明する第２の図である。
【００３７】
まず、操作者が、取っ手部４０を把持し、転写ユニット２１を持ち上げると、前述されたように、前記係止部２７、２８が転写ユニット２１の重心に対して取っ手部４０と反対側に配設されるので、前記転写ユニット２１は、係止部２７、２８を下方にして垂れ下がる。このとき、前記係止部２７、２８は、包囲部２７ｃが保持部４１、４２の受部４１ａに入り込む角度になる。すなわち、転写ユニット２１を持ち上げたときに、前記係止部２７、２８と保持部４１、４２とが係合しない角度になるように前記重心の位置が設定される。
【００３８】
そして、前記係止部２７、２８を保持部４１、４２に向けた状態で、転写ユニット２１を本体フレーム３９に装着すると、テーパ部２６ｇ、２６ｈが前記保持部４１、４２の内側面と当接し、係止部２７、２８を保持部４１、４２の所定の位置に案内する。前記係止部２７、２８が前記保持部４１、４２によって保持されると、包囲部２７ｃは受部４１ａと３点において、用紙の搬送方向において本体フレーム３９に対して位置決めされる（同様に、係止部２８の包囲部と保持部４２の受部と３点において接触する。）。したがって、係止部２７、２８及び駆動ローラ２２はがたつきがないように本体フレーム３９に対して位置決めされる。
【００３９】
さらに、転写ユニット２１が、係止部２７を中心にして、被支持部２６ｄが支持部４５によって支持されるまで所定の角度だけ回動させられると、鍔部２７ｂが突起部４１ｃと係合し、係止部２７が保持部４１に対して係合させられ、保持部４１から外れなくなる。なお、係止部２８と保持部４２との関係も同様である。
【００４０】
また、このとき、前記位置決めポスト２６ｆは長穴４５ａと嵌合させられ、転写ユニット２１はベルト２４の幅方向において本体フレーム３９に対して位置決めされる。
【００４１】
このようにして、転写ユニット２１が本体フレーム３９上に載置された状態で、前記取っ手部４０を用紙の搬送方向と反対側に回動させると、前記固定レバー４３と取っ手部４０の上端とが係合させられ、前記スプリング４４の付勢力によって係合状態が保持される。その結果、取っ手部４０が上方に移動するのが規制され、転写ユニット２１を回転させることができなくなる。
【００４２】
次に、転写ユニット２１を本体フレーム３９から取り外す場合について説明する。
【００４３】
操作者が、取っ手部４０を把持し、取っ手部４０を用紙の搬送方向に回動させ、該取っ手部４０と固定レバー４３との係合を解除した後、取っ手部４０を上方に引き上げると、前述されたように、転写ユニット２１の重心Ｇが係止部２７、２８と取っ手部４０との間にあるので、前記転写ユニット２１は、係止部２７、２８を中心にして回動させられる。
【００４４】
そして、転写ユニット２１の回動に伴って、包囲部２７ｃは受部４１ａと接触し、鍔部２７ｂは突起部４１ｃと係合しない位置に置かれ、前記係止部２７の上方向の移動の規制が解除される。その結果、転写ユニット２１の本体フレーム３９に対する上方への規制が解除される。すなわち、図１１に示されるように、取っ手部４０を引き上げる際に、取っ手部４０の先端と重心Ｇとは、必ず垂線上に位置するようになり、この状態において鍔部２７ｂは突起部４１ｃと係合しないので、操作者は、転写ユニット２１をそのまま引き上げるだけで簡単に取り外すことができる。なお、係止部２８と保持部４２との関係も同様である。
【００４５】
このように、本実施の形態においては、前記転写ユニット２１に係止部２７、２８が、本体フレームに保持部４１、４２が形成され、転写ユニット２１の回動に伴って、転写ユニット２１を本体フレーム３９に対して装脱することができるので、転写ユニット２１を装脱するための作業を簡素化することができる。
【００４６】
また、前記係止部２７、２８によって駆動ローラ２２が支持されるので、装置本体に対して駆動ローラ２２の位置決めを行うことができる。
【００４７】
そして、転写ユニット２１の重心Ｇに対して、前記取っ手部４０と係止部２７、２８とが反対側に配設されるので、操作者が取っ手部４０を把持したときに、自重によって係止部２７、２８が下方に垂れ下がり、係止部２７、２８が保持部４１、４２内に進入しやすくなる。しかも、前記フレーム２６にテーパ部２６ｇ、２６ｈが形成され、テーパ部２６ｇ、２６ｈによって係止部２７、２８が保持部４１、４２に案内される。したがって、転写ユニット２１を本体フレーム３９に容易に装着することができる。
【００４８】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００４９】
図１２は本発明の第２の実施の形態における係止部を示す拡大図である。なお、係止部２７、２８は、互いに反転させた形状を有するので、係止部２７について説明し、係止部２８の説明は省略する。
【００５０】
係止部２７は、前記駆動ローラ２２を支持するための穴２７ａを有する環状体から成り、円周方向における所定の範囲に、径方向外方に向けて突出させて形成され、ほぼ扇形の形状を有する突出部としての鍔部２７ｂ、及び円周方向における残りの範囲に形成された包囲部２７ｃから成り、前記鍔部２７ｂの一方の端部に係止部２７ｄが形成される。また、係止部２８も同様に、鍔部及び包囲部を備える。
【００５１】
次に、本体フレーム３９に形成された保持部４１、４２について説明する。
【００５２】
図１３は本発明の第２の実施の形態における本体フレームの保持部を示す拡大図である。なお、保持部４１、４２は互いに反転させた形状を有するので、保持部４１について説明し、保持部４２の説明は省略する。
【００５３】
保持部４１、４２は、図に示されるように（図においては、保持部４１だけが示され、保持部４２については示されない。）前記包囲部２７ｃを受けるほぼ「コ」字状の形状を有する受部４１ａ、受部４１ａと隣接させて形成された溝部４１ｂ、該溝部４１ｂと隣接させて形成された突起部４１ｃ、及び前記溝部４１ｂと対向する側に形成された段部４１ｄから成る。
【００５４】
次に、本体フレーム３９に対して転写ユニット２１を装脱する際の動作について説明する。
【００５５】
図１４は本発明の第２の実施の形態における本体フレームに転写ユニットを装着した状態を示す図、図１５は本発明の第２の実施の形態における本体フレームから転写ユニットを取り外す動作を説明する第１の図、図１６は本発明の第２の実施の形態における本体フレームから転写ユニットを取り外す動作を説明する第２の図である。
【００５６】
転写ユニット２１が本体フレーム３９に装着されている状態において、図１４に示されるように、前記各係止部２７、２８は保持部４１、４２と係合させられ、取っ手部４０が固定レバー４３によって固定される。
【００５７】
そして、転写ユニット２１を装置本体から取り外す場合、まず、操作者が、取っ手部４０を把持し、取っ手部４０を用紙の搬送方向に回動させ、該取っ手部４０と固定レバー４３との係合を解除した後、取っ手部４０を上方に引き上げると、転写ユニット２１が前記係止部２７、２８を中心にして回動させられ、前記段部４１ｄに係止部２７ｄが当接する。
【００５８】
続いて、操作者が、取っ手部４０を把持し、更に取っ手部４０を記録媒体６６の搬送方向に回動させると、段部４１ｄに係止部２７ｄが当接する点、すなわち、当接点が中心になり、回転支点が移動させられて、転写ユニット２１は更に回動させられ、包囲部２７ｃは、受部４１ａから離れ、上方に移動する。
【００５９】
このように、本実施の形態においては、てこの原理により、前記当接点を中心にして転写ユニット２１が回動させられるので、係止部２７と突起部４１ｃとが引っ掛かることなく係止部２７と保持部４１との係合を解除することができる。したがって、転写ユニット２１を容易に取り外すことができる。
【００６０】
ところで、前記第１、第２の実施の形態においては、固定レバー４３と取っ手部４０の上端との係合状態がスプリング４４の付勢力によって保持され、転写ユニット２１が本体フレーム３９から外れるのが規制されるようになっているが、輸送時等に転写ユニット２１に大きい負荷が加わると、固定レバー４３と取っ手部４０の上端との係合が解除され、転写ユニット２１が本体フレーム３９から外れてしまうことがある。
【００６１】
そこで、転写ユニット２１が本体フレーム３９から外れるのを防止することができるようにした本発明の第３の実施の形態について説明する。
【００６２】
図１７は本発明の第３の実施の形態における転写ユニットを本体フレームに装着した状態を示す図、図１８は本発明の第３の実施の形態におけるロック部材の斜視図、図１９は本発明の第３の実施の形態における係合部を示す図、図２０は本発明の第３の実施の形態におけるロック部材によるロック状態を示す図、図２１は本発明の第３の実施の形態におけるロック部材の解除状態を示す図である。
【００６３】
この場合、転写ユニット２１のフレーム２６は、両縁部から幅方向における外方に突出させて形成された被支持部５２を備え、本体フレーム３９の上縁における前記各被支持部５２と対応する部分に、外方に突出させて係合部５３が形成され、転写ユニット２１を本体フレーム３９上に載置すると、各係合部５３上に被支持部５２が載置され、係合部５３によって転写ユニット２１が支持される。なお、前記係合部５３によって支持部が構成される。
【００６４】
この状態において、各係合部５３と各被支持部５２とを固定し、転写ユニット２１を本体フレーム３９に対してロックするために、固定部材としてのロック部材５５が配設される。
【００６５】
該ロック部材５５は、円形の形状を有するベース部５５ａ、該ベース部５５ａから上方に突出させて形成された摘み部５５ｂ、前記ベース部５５ａから下方に突出させて形成された軸部５５ｃ、及び該軸部５５ｃの下端に隣接させて形成されたフック部５５ｄを備える。
【００６６】
また、前記係合部５３には、前記軸部５５ｃ及びフック部５５ｄが挿入される長穴５３ａが形成される。
【００６７】
前述されたように、転写ユニット２１を本体フレーム３９に装着すると、被支持部５２が係合部５３によって支持される。この状態で、図２０に示されるように、長穴５３ａに前記軸部５５ｃ及びフック部５５ｄを挿入し、続いて、図２１に示されるように、ロック部材５５を回転させ、フック部５５ｄと係合部５３とを係合させると、前記転写ユニット２１が本体フレーム３９に対してロックされる。
【００６８】
また、図２０に示されるように、前記ロック部材５５を回転させ、フック部５５ｄと係合部５３との係合を解除すると、前記転写ユニット２１の本体フレーム３９に対するロックが解除される。
【００６９】
このように、本実施の形態においては、ロック部材５５によって、転写ユニット２１を本体フレーム３９に対してロックすることができるので、輸送時等に転写ユニット２１に大きい負荷が加わっても、転写ユニット２１が本体フレーム３９から外れることがなくなる。
【００７０】
前記各実施の形態においては、プリンタについて説明しているが、本発明を複写機、ファクシミリ装置、複合機等に適用することができる。
【００７１】
また、前記各実施の形態においては、転写ユニット２１について説明しているが、本発明を、画像形成ユニット１２Ｂｋ、１２Ｙ、１２Ｍ、１２Ｃ、定着器６５等の装填部ユニットに適用することができる。
【００７２】
なお、本発明は前記実施の形態に限定されるものではなく、本発明の趣旨に基づいて種々変形させることが可能であり、それらを本発明の範囲から排除するものではない。
【図面の簡単な説明】
【００７３】
【図１】本発明の第１の実施の形態における転写ユニットの第１の斜視図である。
【図２】本発明の第１の実施の形態におけるプリンタの概略図である。
【図３】本発明の第１の実施の形態における転写ユニットの要部を示す斜視図である。
【図４】本発明の第１の実施の形態における転写ユニットの第２の斜視図である。
【図５】本発明の第１の実施の形態における係止部を示す拡大図である。
【図６】本発明の第１の実施の形態における本体フレームを示す斜視図である。
【図７】本発明の第１の実施の形態における本体フレームの保持部を示す拡大図である。
【図８】本発明の第１の実施の形態における本体フレームに対して転写ユニットを装着する動作を説明する図である。
【図９】本発明の第１の実施の形態における本体フレームに転写ユニットを装着した状態を示す図である。
【図１０】本発明の第１の実施の形態における本体フレームから転写ユニットを取り外す動作を説明する第１の図である。
【図１１】本発明の第１の実施の形態における本体フレームから転写ユニットを取り外す動作を説明する第２の図である。
【図１２】本発明の第２の実施の形態における係止部を示す拡大図である。
【図１３】本発明の第２の実施の形態における本体フレームの保持部を示す拡大図である。
【図１４】本発明の第２の実施の形態における本体フレームに転写ユニットを装着した状態を示す図である。
【図１５】本発明の第２の実施の形態における本体フレームから転写ユニットを取り外す動作を説明する第１の図である。
【図１６】本発明の第２の実施の形態における本体フレームから転写ユニットを取り外す動作を説明する第２の図である。
【図１７】本発明の第３の実施の形態における転写ユニットを本体フレームに装着した状態を示す図である。
【図１８】本発明の第３の実施の形態におけるロック部材の斜視図である。
【図１９】本発明の第３の実施の形態における係合部を示す図である。
【図２０】本発明の第３の実施の形態におけるロック部材によるロック状態を示す図である。
【図２１】本発明の第３の実施の形態におけるロック部材の解除状態を示す図である。
【符号の説明】
【００７４】
２１    転写ユニット
２７、２７ｄ、２８    係止部
４０    取っ手部
４１、４２    保持部
【図１】
0004684836.tif 000002
【図２】
0004684836.tif 000003
【図３】
0004684836.tif 000004
【図４】
0004684836.tif 000005
【図５】
0004684836.tif 000006
【図６】
0004684836.tif 000007
【図７】
0004684836.tif 000008
【図８】
0004684836.tif 000009
【図９】
0004684836.tif 000010
【図１０】
0004684836.tif 000011
【図１１】
0004684836.tif 000012
【図１２】
0004684836.tif 000013
【図１３】
0004684836.tif 000014
【図１４】
0004684836.tif 000015
【図１５】
0004684836.tif 000016
【図１６】
0004684836.tif 000017
【図１７】
0004684836.tif 000018
【図１８】
0004684836.tif 000019
【図１９】
0004684836.tif 000020
【図２０】
0004684836.tif 000021
【図２１】
0004684836.tif 000022